(57)【特許請求の範囲】
【請求項１】
農作物の茎葉刈取機であって、茎葉を刈取るストローチョッパーと、残存の茎をカットするタッパーとを備え、前記ストローチョッパーは地面から離れて、回転自在に配置された水平回転軸と、この水平回転軸の外側面から垂直に突出した複数本の刃とを備え、水平回転軸の回転により前記複数本の刃を回転し、この刃の回転により茎葉を刈取り、前記タッパーはストローチョッパーの後方に垂直に配置され、上下に移動自在な垂直回転軸と、この垂直回転軸の先端に取りつけられた回転刃とを備え、垂直回転軸を上下に移動して先端の回転刃を残存の茎に合わせるとともに垂直回転軸を回転により前記回転刃を回転し、この刃の回転により残存の茎をカットすることを特徴とする農作物の茎葉刈取機。
【請求項２】
前記垂直回転軸にはキー溝を長さ方向に刻設してなり、これにより前記垂直回転軸を回転状態のまま上下に移動自在とした請求項１に記載の農作物の茎葉刈取機。
【発明の詳細な説明】
【０００１】
【発明の属する技術分野】
本発明は西洋わさび、大根、ごぼう、にんじん、ビート、ジャガイモ、かぶ、等、各種農作物、特に根菜類の茎葉を田畑の畝から刈取る農作物の茎葉刈取機に係り、特に茎葉を刈取るストローチョッパーと、畝上に残った残存茎をカットするタッパーとを併せ備え、人手不足による生産者の負担を軽減するとともに、収益を増大させる農作物の茎葉刈取機に関する。
【０００２】
【従来の技術】
西洋わさび、大根、ごぼう、にんじん、ビート、ジャガイモ、かぶ等、各種農作物、特に根菜類は栽培に際して値付けから収穫まで人手にたよる作業が数多くあり、非常に労力のかかる作物であって、植付け、茎葉処理、収穫の作業の機械化、省力化が望まれている。特に、茎葉処理は茎葉の刈取りおよび残存する茎の排除の二工程を含み、作業が非常にやっかいなため、機械化、省力化が強く望まれている。
【０００３】
上述茎葉処理機械として従来、茎葉を刈取るストローチョッパーおよび株元に残る茎をカットするタッパーがそれぞれ単体で存在している。
【０００４】
【発明が解決すべき課題】
しかし、作物の収穫の際に、ストローチョッパーで農作物の茎葉をまず刈取った後、次いで、別の機械のタッパーで株元に残存する茎を切り取って茎葉処理を行っていたのでは、たとえこれらが機械処理であったとしてもなお、人手不足による生産者の負担を軽減し、収益を増大させるまでには至らず、これらストローチョッパーおよびタッパーの両機械を併せ持つ刈取機が強く望まれていた。
【０００５】
そこで、本発明の目的は茎葉を刈取るストローチョッパーと、畝上に残った株元の残存茎をカットするタッパーとを併せ備え、これにより人手不足による生産者の負担を軽減するとともに、収益を増大させ、上述の公知技術に存する欠点を改良した農作物の茎葉刈取機を提供することにある。
【０００６】
【課題を解決するための手段】
上述の目的を達成するため、本発明によれば、農作物の茎葉刈取機であって、茎葉を刈取るストローチョッパーと、残存の茎をカットするタッパーとを備え、前記ストローチョッパーは地面から離れて、回転自在に配置された水平回転軸と、この水平回転軸の外側面から垂直に突出した複数本の刃とを備え、水平回転軸の回転により前記複数本の刃を回転し、この刃の回転により茎葉を刈取り、前記タッパーはストローチョッパーの後方に垂直に配置され、上下に移動自在な垂直回転軸と、この垂直回転軸の先端に取りつけられた回転刃とを備え、垂直回転軸を上下に移動して先端の回転刃を残存の茎に合わせるとともに垂直回転軸を回転により前記回転刃を回転し、この刃の回転により残存の茎をカットすることを特徴とする。
【０００７】
【発明の実施の態様】
以下、本発明を添付図面を用いて詳述する。
【０００８】
図１は本発明にかかる茎葉刈取機のストローチョッパーと、タッパーの位置関係を表した背面図であり、図２は本発明にかかる茎葉刈取機の側面図であり、図３は図１におけるタッパーの構造を表した説明図であり、図４は図１のタッパーにおける垂直回転軸の上下移動を行なうジャッキ部の部分断面図を示す。
【０００９】
図１に示されるように、本発明にかかる農作物の茎葉刈取機Ａは茎葉を刈取るストローチョッパー１と、残存の株元茎をカットするタッパー２とを併せ備えて構成される。
【００１０】
ストローチョッパー１は地面と水平に、かつ地面から離れて回転自在に配置される水平回転軸３と、この水平回転軸３の外側面４から垂直に突出した複数本の刃５、５・・・５とを備えて構成される。上述の刃５はＬ形状、Ｔ形状、Ｙ形状、あるいは図１に示されるように、立上り部６の背面同志を接触させ、２個を一組としたＴ形状の刃５であってもよい。
【００１１】
タッパー２は図１に示されるようにストローチョッパー１の後方に、垂直に配置され、図１および図３に示されるように、上下に移動自在な垂直回転軸７と、この垂直回転軸７の先端に取りつけられた回転刃８とを主に備えて構成される。もちろん、回転刃８は垂直回転軸７の回転とともに回転される。ここで、用いられる回転刃８は図示のように逆皿形状のもの、あるいは図示しないが、逆皿形状の縁から垂直方向に、または接線方向に複数本の長方形刃等を突出させたものであてもよい。
【００１２】
図４はタッパー２の垂直回転軸７を上下に移動するジャッキ部９の部分断面図であって、図１のジャッキ部９に相当する。図１では表示しないジャッキ10を回転することにより互いに噛み合った歯車11、12を回転するとともに、ネジ棒13を回転し、これによりネジ棒13に連結された支持棒14を上下に移動する。
【００１３】
支持棒14は図１に示されるように、一対の並列したタッパー２、２の垂直回転軸７、７とそれぞれ水平棒16を介して連結され、支持棒14の上下移動とともに垂直回転軸７、７を連動する。これにより、垂直回転軸７、７は図４のジャッキ10の回転により上下に移動する。
【００１４】
タッパー２の構造は図３の模式図によって説明される。すなわち、垂直回転軸７はオイル17で満たされたケーシング18中に挿入され、上下をオイルシール19、19で塞ぐ。垂直回転軸７にはキー溝20（スピル溝）を上方の長さ方向に刻設し、後述のプーリー21の位置を変えずに、垂直回転軸７のみ上下できる構造とする。しかも、垂直回転軸７は回転したまま、上下に移動自在である。図３中、15はブッシングカラーである。
【００１５】
上述のように構成される本発明にかかる茎葉刈取機Ａは図１および図２に示されるように、図示しない駆動源からプーリー21を回転し、このプーリー21の回転駆動力をプーリー22、23、24を介してタッパー２の垂直回転軸７、７を回転するプーリー25、25およびストローチョッパー１の水平回転軸３を回転するプーリー22にそれぞれ移し、これら垂直回転軸７、７および水平回転軸３をそれぞれ回転する。図２中、26は車輪である。
【００１６】
水平回転軸３の回転により複数本の刃５が同時に回転され、この刃５の回転により根菜類の茎葉が刈取られる。次いで、茎葉が刈取られた後、垂直回転軸７、７を上下に移動して先端の回転刃８、８を残存の茎に合わせるとともに垂直回転軸７、７の回転により回転刃８、８が回転され、この回転刃８、８の回転により残存の茎がカットされる。
【００１７】
【発明の効果】
上述の本発明にかかる農作物の茎葉刈取機Ａは茎葉を刈取るストローチョッパー１と、畝上に残った残存茎をカットするタッパー２とを併せ備えるから、茎葉の刈取りと残存茎のカットを同時に行なうことができ、このため、人手不足による生産者の負担を軽減するとともに、収益を増大させる。
【図面の簡単な説明】
【図１】本発明にかかる茎葉刈取機のストローチョッパーと、タッパーの位置関係を表した背面図である。
【図２】本発明にかかる茎葉刈取機の側面図である。
【図３】図１におけるタッパーの構造を表した説明図である。
【図４】図１のタッパーにおける垂直回転軸の上下移動を行なうジャッキ部の部分断面図である。
【符号の説明】
Ａ  茎葉刈取機
１  ストローチョッパー
２  タッパー
３  水平回転軸
４  外側面
５  刃
７  垂直回転軸
８  回転刃
20  キー溝
21  プーリー
23  プーリー
24  プーリー
25  プーリー
【図１】
0004642186.tif 000002
【図２】
0004642186.tif 000003
【図３】
0004642186.tif 000004
【図４】
0004642186.tif 000005